(57)【要約】      （修正有）【課題】湿気の多い浴室内でも十分に使用可能なカレンダーを提供する。【解決手段】ポリプロピレン樹脂を主原料とする合成紙の複数の用紙１２、１２…と、用紙１２、１２…を保護する表紙１１とを設ける。月単位の日と曜日との対応表を印刷する各用紙は、ポリプロピレン樹脂を主原料とする合成紙であるため、吸水性がなく、耐水性があり、適度の撥水性もあるため、水に濡れても皺を発生することがなく、破れ易くなることもない上、印刷に色褪せや変色を生じることもない。同時に、この用紙は、適度な濡れ性があり、水に濡らすと、浴室のタイルやユニットバスのパネルのような滑らかな壁面に簡単に貼付け可能である。なお、壁面に貼り付けられた用紙は、引っ張れば壁面から剥がれ、用紙を剥がした壁面は、何も痕跡が残らない。また、用紙は、湿気の多い浴室であれば、水分を補給しなくても継続して壁面に貼り付いている。【選択図】図１
0003165505.tif 000002
【実用新案登録請求の範囲】
【請求項１】
ポリプロピレン樹脂を主原料とする合成紙の複数の用紙と、該用紙の印刷面を保護する表紙とを備えてなり、前記各用紙は、月単位の日と曜日との対応表を印刷し、水に濡らして浴室の壁面に貼付け可能であることを特徴とするカレンダー。
【請求項２】
前記用紙には、裏表紙を付けることを特徴とする請求項１記載のカレンダー。
【請求項３】
前記用紙は、２月分の前記対応表を１枚に印刷する６枚とすることを特徴とする請求項１または請求項２記載のカレンダー。
【請求項４】
前記各用紙、表紙、裏表紙は、取外し可能に綴じて透明袋に収納することを特徴とする請求項２または請求項３記載のカレンダー。
【請求項５】
前記各用紙、表紙、裏表紙は、綴じるための丸孔を同一位置に設けることを特徴とする請求項２ないし請求項４のいずれかに記載のカレンダー。
【請求項６】
ポリプロピレン樹脂を主原料とする合成紙の用紙からなり、該用紙は、１年分の月単位の日と曜日との対応表を印刷し、水に濡らして浴室の壁面に貼付け可能であることを特徴とするカレンダー。
【請求項７】
前記用紙は、株式会社ユポ・コーポレーション製のスーパーユポ（登録商標）ＦＲＢ１１０とすることを特徴とする請求項１ないし請求項６のいずれかに記載のカレンダー。
【考案の詳細な説明】
【技術分野】
【０００１】
この考案は、浴室の壁面に貼り付けて使用するカレンダーに関する。
【背景技術】
【０００２】
カレンダーは、日付の確認やスケジュールの管理などのために、生活習慣に広く定着しており、家庭や職場等の至るところで使用されている。また、カレンダーに印刷されるたとえば装飾的な絵は、カレンダーが使用されている場所の雰囲気を和ませたり、人を楽しませるという効果がある。このようなカレンダーの用紙は、アート紙、コート紙などの印刷用紙が主として用いられており、押しピンや粘着テープなどにより、壁面に貼り付けたり、壁面に吊り下げたりして固定する場合が多い。
【先行技術文献】
【非特許文献】
【０００３】
【非特許文献１】http://www.koken.ne.jp/hyakka/naire1-fr.html
【考案の概要】
【考案が解決しようとする課題】
【０００４】
かかる従来技術によるときは、カレンダーの用紙は、湿気を吸収すると、皺を発生するとともに破れ易くなる上、印刷に色褪せや変色を発生することがあるため、浴室内で使用することが困難であるという問題があった。
【０００５】
そこで、この考案の目的は、かかる従来技術の問題に鑑み、湿気の多い浴室内でも十分に使用可能なカレンダーを提供することにある。
【課題を解決するための手段】
【０００６】
かかる目的を達成するための請求項１記載の考案の構成は、ポリプロピレン樹脂を主原料とする合成紙の複数の用紙と、用紙の印刷面を保護する表紙とを備えてなり、各用紙は、月単位の日と曜日との対応表を印刷し、水に濡らして浴室の壁面に貼付け可能であることをその要旨とする。
【０００７】
なお、用紙には、裏表紙を付けることができ、用紙は、２月分の対応表を１枚に印刷する６枚とすることができる。
【０００８】
また、各用紙、表紙、裏表紙は、取外し可能に綴じて透明袋に収納してもよく、綴じるための丸孔を同一位置に設けてもよい。
【０００９】
請求項６記載の考案の構成は、ポリプロピレン樹脂を主原料とする合成紙の用紙からなり、用紙は、１年分の月単位の日と曜日との対応表を印刷し、水に濡らして浴室の壁面に貼付け可能であることをその要旨とする。
【００１０】
なお、用紙は、株式会社ユポ・コーポレーション製のスーパーユポ（登録商標）ＦＲＢ１１０としてもよい。
【考案の効果】
【００１１】
かかる請求項１記載の考案の構成によるときは、月単位の日と曜日との対応表を印刷する各用紙は、ポリプロピレン樹脂を主原料とする合成紙であるため、吸水性がなく、耐水性があり、適度の撥水性もあるため、水に濡れても皺を発生することがなく、破れ易くなることもない上、印刷に色褪せや変色を生じることもない。同時に、この用紙は、適度な濡れ性があり、水に濡らすと、浴室のタイルやユニットバスのパネルのような滑らかな壁面に簡単に貼付け可能である。なお、壁面に貼り付けられた用紙は、引っ張れば壁面から剥がれ、用紙を剥がした壁面は、何も痕跡が残らない。また、用紙は、湿気の多い浴室であれば、水分を補給しなくても継続して壁面に貼り付いている。
【００１２】
なお、各用紙に印刷する月単位の対応表は、１、２、３、４、６月分のいずれかとし、用紙の枚数は、各用紙に印刷する対応表の数に応じて、それぞれ１２、６、４、３、２枚とすればよい。また、表紙は、先頭の用紙の印刷面の上に重ねられ、印刷面を汚れから保護する。
【００１３】
裏表紙は、たとえば厚紙で作ることにより、用紙が不用意に折れ曲がったり、それによって用紙に折れ目が付いたりすることを防止する。
【００１４】
２月分の対応表を印刷する６枚の用紙は、２月に１回新しい用紙と交換することにより、表面に印刷されている絵や写真などを取り換えて楽しむことができる。
【００１５】
各用紙、表紙、裏表紙を取外し可能に綴じて透明袋に収納すれば、各用紙は、透明袋によって汚れないようにカバーされ、しかも外部から目視可能である。
【００１６】
各用紙、表紙、裏表紙は、綴じるための丸孔を同一位置に設けることによって、たとえばリング状の開閉可能な文具（以下、カードリングという）や紐などを丸孔に通し、取外し可能に綴じることができる。
【００１７】
請求項６記載の考案の構成によるときは、用紙は、請求項１記載の考案の用紙と同じであり、同様に作用することができる。なお、このときの用紙は、１年分の対応表が印刷されているため、１枚のみでよい。
【００１８】
用紙は、株式会社ユポ・コーポレーション製のスーパーユポ（登録商標）ＦＲＢ１１０とすれば、アート紙やコート紙などに印刷する一般用の印刷インキを使用して任意のデザインにカラー印刷することができる。
【図面の簡単な説明】
【００１９】
【図１】全体斜視図
【図２】要部斜視図
【図３】使用状態説明図
【考案を実施するための形態】
【００２０】
以下、図面を以って考案の実施の形態を説明する。
【００２１】
カレンダー１０は、ポリプロピレン樹脂を主原料とする合成紙の複数の用紙１２、１２…と、用紙１２の印刷面１２ａを保護する表紙１１とを備えてなる（図１、図２）。
【００２２】
カレンダー１０は、用紙１２、１２…を裏表紙１３の上に重ね、表紙１１を用紙１２、１２…の上に重ねて一組となっている。なお、用紙１２、１２…は、２月分の月単位の日と曜日との対応表１２ａ3 、１２ａ3 を１枚に印刷する６枚となっている。ただし、各対応表１２ａ3 には、「月」の表示１２ａ2 が組み合わされている。
【００２３】
表紙１１、各用紙１２、裏表紙１３は、綴じるための丸孔１４、１４を上端部の左右の同一位置に設けており、カードリング１５、１５を各丸孔１４、１４…に通すことによって取外し可能に綴じて透明袋１６に収納している。
【００２４】
表紙１１は、たとえばアート紙などの紙であり、「年」の表示１１ａを上部に、商品名としての「湯ちゃんカレンダー」の表示１１ｂを「年」の表示１１ａの下に、それぞれ印刷している。なお、表示１１ｂには、各用紙１２の材質や使用方法、装飾用の絵や宣伝用の企業名などを併せて印刷してもよい。
【００２５】
各用紙１２は、株式会社ユポ・コーポレーション製のスーパーユポ（登録商標）ＦＲＢ１１０を用いている。各用紙１２は、装飾的な絵１２ａ1 、２月分の「月」の表示１２ａ2 、１２ａ2 と月単位の対応表１２ａ3 、１２ａ3 、装飾的な絵１２ａ4 が表面側の印刷面１２ａに印刷されている。
【００２６】
裏表紙１３は、厚紙で作られている。裏表紙１３の表面と裏面とは、無地である。
【００２７】
カレンダー１０を収納する透明袋１６は、透明の樹脂フィルム製であり、下部をシール１６ｂで閉じ、展示用、保存用などに用いる引掛け用の丸孔１６ａ、１６ａを上部に設けている。
【００２８】
各用紙１２は、カードリング１５、１５を開けば、１枚単位で取外し可能であり、各用紙１２の裏面を水に濡らせば、浴室の壁面Ｔに貼り付けることができる（図３）。ただし、図３は、浴室のタイルの壁面Ｔ上の用紙１２にシャワーＳで水Ｗをかけている様子を示している。
【他の実施の形態】
【００２９】
用紙１２は、１枚に印刷する月単位の日と曜日との対応表１２ａ3 の数を１、２、３、４、６のいずれかに設定することができる。また、用紙１２は、月単位の対応表１２ａ3 の数を１年分の１２とすることにより、１枚だけにすることができ、このときは、表紙１１、裏表紙１３を付ける必要がなく、綴じるための丸孔１４、１４を設けることも必要ではない。
【００３０】
用紙１２の形は、任意に設定することができ、縦長の長方形に代えて、たとえば横長の長方形や、正方形、円形などであってもよい。
【００３１】
用紙１２上には、月単位の対応表１２ａ3 を任意に配置してもよい。また、「月」の表示１２ａ2 は、対応する対応表１２ａ3 との対応関係が明確である限り、用紙１２上に任意に配置してもよい。さらに、各用紙１２上には、印刷されている月単位の対応表１２ａ3 の数に拘らず、「年」の表示１１ａを併せて印刷してもよい。
【００３２】
装飾的な絵１２ａ1 、１２ａ4 は、たとえば写真、イラストなどに置き換えることができる。なお、用紙１２上の装飾的な絵１２ａ1 、１２ａ4 の位置や数は、任意に設定することができ、全部を省略してもよい。
【００３３】
日と曜日との対応表１２ａ3 は、日を縦１行として対応する各曜日を日の横に配列してもよく、日を横１列として対応する各曜日を日の上または下に配列することもできる。
【００３４】
表紙１１、各用紙１２、裏表紙１３を綴じるための丸孔１４、１４は、１個としてもよい。また、丸孔１４の位置や大きさは、用紙１２、１２…などの綴じ機能に支障がなく、用紙１２上の印刷を損なわない限り、任意に設定することができる。
【産業上の利用可能性】
【００３５】
この考案は、浴室以外の場所に使用する場合にも広く好適に適用することができる。
【符号の説明】
【００３６】
Ｗ…水
Ｔ…壁面
１０…カレンダー
１１…表紙
１２…用紙
１２ａ…印刷面
１２ａ3 …対応表
１３…裏表紙
１４…丸孔
１６…透明袋
【図１】
0003165505.tif 000003
【図２】
0003165505.tif 000004
【図３】
0003165505.tif 000005